Podtech/llm-jp-corpus-v4-ja_patent huggingface dataset:
(57)【要約】      （修正有）【課題】簡単に締めることができる女着物用の簡単帯を提供する。【解決手段】一端に飾り帯２を予め形成し、他端を先端を細くした帯の締め付け端４とし、その先端に帯紐５を連結してなる簡単帯であって、飾り帯の内部でかつ自由端よりも遠い側の帯の中心線に沿った位置に帯紐を通す開口部７を設けてなる簡単帯１である。【選択図】図１
2013159878.tif 000002
【特許請求の範囲】
【請求項１】
一端に飾り帯を予め形成し、他端を先端を細くし、その先端に帯紐を連結してなる簡単帯であって、飾り帯の内部でかつ自由端よりも遠い側の帯の中心線に沿った位置に帯紐を通す開口部を設けてなる簡単帯。
【発明の詳細な説明】
【技術分野】
【０００１】
本発明は、簡単に締めることができる女性用の着物（和服）の帯に関する。
【背景技術】
【０００２】
和服としてもっとも一般的な着物は、女性用としては訪問着、振袖などが挙げられ、さらに浴衣も庶民的な着物の代表であろう。
【０００３】
着物を着にくくしている原因は着物そのものだけではなく、帯にもある。１枚の織り布を体に巻きつけながら、さらに飾り帯を最後に結ばなければならない。
【０００４】
簡単に着付けられる帯は、各種のものが提案され、一部は市販もされている。これらの簡単帯は、飾り帯と帯を分けて作製し、帯を巻きつけた後に飾り帯を差し込むタイプと、帯の一端に飾り帯を先に作っておき、その後に帯を巻きつけるタイプに大別される（特許文献１、２）。
【先行技術文献】
【特許文献】
【０００５】
【特許文献１】特開平０７−３１６９０７号公報
【特許文献２】実用新案登録第３０５４２０７号明細書
【発明の概要】
【発明が解決しようとする課題】
【０００６】
本発明は、帯の一端に飾り帯を先に作っておき、その後に帯を巻きつけるタイプのより簡単な帯を提供することを目的とする。
【課題を解決するための手段】
【０００７】
すなわち本発明は、一端に飾り帯を予め形成し、他端を先端を細くし、その先端に帯紐を連結してなる簡単帯であって、飾り帯の内部でかつ自由端よりも遠い側の帯の中心線に沿った位置に帯紐を通す開口部を設けてなる簡単帯に関する。
【発明の効果】
【０００８】
本発明によれば、紐を巻きつけるだけで帯を締めることができる。
【図面の簡単な説明】
【０００９】
【図１】本発明の簡単帯を背面概略図である。
【図２】本発明の簡単帯の紐の通し方を説明するための概略一部断面斜視図である。
【図３】本発明の簡単帯の紐の通し方を説明するための概略断面図である。
【図４】本発明の簡単帯の紐を通した後の状態を説明するための概略斜視図である。
【発明を実施するための形態】
【００１０】
本発明の簡単帯１は、図１に示すとおり、飾り帯２、帯本体３、締め付け端４、帯紐５、必要に応じて留め玉６、そして帯紐の通し孔７から構成されている。この通し孔７は、飾り帯２の内側で、外からは見えない位置に設けるのが好ましい。
【００１１】
図２〜図４により、簡単帯の締め方を説明する。
【００１２】
図２は簡単帯の紐の通し方を説明するための概略一部断面斜視図、図３はその概略断面図である。飾り帯２は帯本体３を取り囲むように結ばれて形作られるので、裏側の帯地８と表側の帯地９が通り道の隙間１０を形成している。体に飾り帯２が前にくるように帯本体３を巻き付け、帯の締め付け端４に連結されている帯紐５の端部（留め玉６）をその通り道の隙間１０に通す（図２）。
【００１３】
通された帯紐５は、飾り帯２の反対側の端部近くで外側から見えない位置の帯本体３に設けられている通し孔７に表側の帯地９の裏から表へと通される（図３）。通された帯紐５はそのままゆっくり引き出し（図４）、帯本体３を体に締め付けながら１周回す。
【００１４】
１周回された帯紐５は、図２に示されている留め環１１に通し、軽くねじるか挟んで固定する（図示されていない）。もちろん、帯紐５に直接絡めて留めても良い。
【符号の説明】
【００１５】
１  帯
２  飾り帯
３  帯本体
４  帯の締め付け端
５  帯紐
６  留め玉
７  通し孔
８  裏側の帯地
９  表側の帯地
１０  通り道の隙間
１１  留め環
【図１】
2013159878.tif 000003
【図２】
2013159878.tif 000004
【図３】
2013159878.tif 000005
【図４】
2013159878.tif 000006
(57)【要約】      （修正有）【課題】自動車の側面にいる、別の自動車の運転者あるいは歩行者等に、後退を報知する自動車を提供する。【解決手段】サイドバックランプ２を自動車本体１の両側面後方に設け、サイドバックランプ２を、自動車の後退時に点滅を繰り返すことにより、その自動車の側面にいても後退することが容易に確認ができる。【選択図】図１
2013159333.tif 000002
【特許請求の範囲】
【請求項１】
後方進行表示をすることを特徴とするサイドバックランプ。
【請求項２】
ＬＥＤランプが点滅することを特徴とする請求事項１のサイドバックランプ。
【請求項３】
ＬＥＤランプが後方へ流れて点滅することを特徴とする請求事項１のサイドバックランプ。
【請求項４】
その形状が長方形あるいは円形であることを特徴とする請求事項１のサイドバックランプ。
【発明の詳細な説明】
【技術分野】
【０００１】  本発明は、自動車が後退する場合に、側面にいる別の自動車の運転者あるいは歩行者等からそれが容易に確認できる表示に関するもの。
【背景技術】
【０００２】  従来、自動車が後退する場合は、その後方に位置すれば、バックランプが白色に点灯するか、または、ハザードランプを点滅させることで後方に位置する別の自動車の運転者あるいは歩行者等が確認できる。
【発明の概要】
【発明が解決しようとする課題】
【０００３】  以上に述べた従来の表示方法では、側面にいる場合は、その自動車の運転者が後方を目視していることで判断するか、その自動車が動き出した瞬間で後退を判断していたため、非常に確認しがたいものがある。そこでこの発明は、側面から自動車の後退を明確に確認でき、安全性を確保できるものを提供することを課題とする。
【課題を解決するための手段】
【０００４】  以上の課題を解決するために、第一発明は、自動車の運転者がシフトレバーをＲポジションに入れると、連動して内蔵されたＬＥＤランプが点滅を繰り返すサイドバックランプを、自動車の両側面後方に設けたことにより、安全性の向上を目的とするものである。
【発明の効果】
【０００５】  本発明のサイドバックランプは、自動車の側面に位置する別の自動車の運転者、あるいは歩行者等からその後退が明確に認識できる利点がある。
【図面の簡単な説明】
【０００６】
【図１】図１はサイドバックランプの実施方法を示した側面図である。
【図２】図２はサイドバックランプの実施方法を示した拡大平面図である。
【発明を実施するための形態】
【０００７】  この発明の一実施形態を、図１に示す。自動車本体１に両側側面後部には、サイドバックランプ本体２が設置され、その中にはＬＥＤランプ３が配置されている。
【実施例】
【０００８】  図１の実施形態は、自動車の両側面後部に設置したものであったが、他の実施形態では、後部両端にも設置しても良い。
【符号の説明】
【０００９】  １  自動車本体  ２  サイドバックランプ本体  ３  ＬＥＤランプ
【図１】
2013159333.tif 000003
【図２】
2013159333.tif 000004
(57)【要約】【課題】ショツピングカート使用する時、取って部分がベタベタ、ヌルヌルと非常に不愉快な経験された方が多いと思います。又、菌の繁殖にも繋がり、非常に不衛生だと思い安心して買い物が出来るツールを提供する。【解決手段】筒状の物体に切れ目を入れ、簡単に脱着出来るよう柔らかめの弾力性のある素材を使用し、二個一組としそれぞれを紐等で接続する。ショツピングカートの取って部分が一本用と二本用があるため、これを特徴とするショッピングカートのツール。【選択図】図１
2013159335.tif 000002
【特許請求の範囲】
【請求項１】
縦に切れ目入りの筒状取っ手カバー２個用意し、それぞれの端に糸通し穴を設けて紐等で接続し、筒状取っ手カバーの表面は抗菌剤を塗布したことを特徴とする、ショッピングカート用取っ手カバー。
【発明の詳細な説明】
【技術分野】
【０００１】  本発明は、ショピングセンター及びホームセンタ等で使用されているカートの取っ手部に簡単にカバーとして取付、清潔を保つ保護用であり、二個一組としたものである。
【背景技術】
【０００２】  従来、取っ手部分に直接触れる為、不特定多数の人の手垢及び菌類が付着したままで生鮮食料品等を選び菌類を広げてしまう恐れが大いに考えられる。
なお、中にはハンカチや手袋で保護して買い物されている方を見かけ、簡単で使いやすいものを考えた。
【先行技術文献】
【０００３】
【特許文献１】
【発明の概要】
【発明が解決しようとする課題】
【０００４】  ショツピングカートの種類何種類か見かけられるが、大きく分類して取っ手が一本のバーと両脇に付いている取っ手の二種類に分けられる、その為、右手と左手各々分離した形態が必要で二個一組としたものである。
本発明は、以上の問題点を解決するためになされたものである。
【課題を解決するための手段】
【０００５】  本発明は、縦に切れ目入りの筒状取っ手カバー二個用意し、それぞれの端に糸通し穴を設けて紐等で接続し、筒状の表面に抗菌剤を塗布したことを特徴とする、ショッピングカート用取っ手カバー。
筒状のスポンジ又はプラスチックに片側、切れ目を入れ脱着を簡単に出来るようにし、なお、二個一組なので紛失防止の為、素材の隅に糸通し穴を設け、紐等で接続し、素材の表面を抗菌仕上げとする。
【発明の効果】
【０００６】  従来、消毒液等設置し開店前には担当者がカートの取っ手部分を拭き取る作業を実施していました、中には取っ手部分の拭き取り作業を省略する店舗もあった。
本発明は、個々で準備するので、店舗側の事前作業に関係なく安心して買い物が出来る。
【図面の簡単な説明】
【０００７】
【図１】  本発明の斜視図
【図２】  本発明の使用状態を示す斜視図
【発明を実施するための形態】
【０００８】  以下、本発明の実施の形態を説明する。
（イ）    取っ手カバー１、１ａの握り部に、切れ目２を入れる。
（ロ）    取っ手カバー１、１ａの握り部の片端に糸通し穴３を設ける。
（ハ）    糸通し穴３に紐４を通して取っ手カバーを接続する。
本発明は以上のような構造である。
本発明を使用するときは、筒状の取っ手カバーをショツピングカートの取って部分に切れ目部を開いて装着し、その時紐部が内側になる様にセットする。
取り外すときは、装着時と逆の操作をする。
【符号の説明】
【０００９】  １，１ａ，取っ手カバー、  ２  切れ目、  ３  糸通し穴、  ４  紐、
５  ショツピングカート、
【図１】
2013159335.tif 000003
【図２】
2013159335.tif 000004
(57)【要約】【課題】従来の自転車の盗難防止装置は、自転車としての機能を鍵等により不可能にする装置で、装置を取去ることにより自転車としての機能を回復するものであった。【解決手段】駆動伝達部の鍵を回転させることにより駆動伝達部が空転し自転車として使用出来ず、鍵を反対方向に回転させることにより通常の自転車として使用できる。【選択図】図１
2013159331.tif 000002
【特許請求の範囲】
【請求項１】
クランク軸を加工することなく自転車の盗難防止装置に付設された鍵の回転により自転車機能を失墜復帰させることが出来る盗難防止装置。
【発明の詳細な説明】
【技術分野】
【０００１】      本発明は、自転車としての機能を失うことにより盗難を防止する自転車の盗難防止装置に関する。
【背景技術】
【０００２】      従来の技術は、自転車としての機能を鍵等により不可能にする装置で、装置を取去ることにより自転車としての機能を回復するものであった。
【先行技術文献】
【特許文献】
【０００３】
【特許文献１】  特開平０８−１４４６０５
【特許文献２】  特開平１０−１１９８５２
【非特許文献】
【０００４】
【非特許文献１】
【発明の概要】
【発明が解決しようとする課題】
【０００５】      クランク部に特殊な加工が必要で、従来使用されているクランク軸は使用できない。【０００６】      鍵はこのクランク軸特有の鍵であり容易に代替品を作る事が出来る。【０００７】      クランク軸は特殊なものであり通常使われているクランク軸は使用できない。【０００８】      従来のクランク軸を加工して使用する場合クランク軸の強度試験を行う必要がある。
【課題を解決するための手段】
【０００９】      本発明の鍵を回転させることにより駆動伝達部が空転し自転車として使用出来ず、鍵を反対方向に回転させることにより通常の自転車として使用できる。
【図面の簡単な説明】
【００１０】
【図１】本発明に係る実施形態の使用状態を示す。
【図２】鍵の動作状態を示す。
【図３】本発明に係る駆動伝達部を示す。
【図４】空転時のラチェットの状態を示す。
【図５】通常運転時のラチェットの状態を示す。
【発明を実施するための形態】
【００１１】      以下、本発明の実施の形態を図１〜図５に基づいて説明する。
【００１２】      図１においては駆動部２２を取付固定したチェーンリング９により後輪６に動力を伝達する。
【００１３】      図３駆動伝達部において鍵を９０度回転させることによりラチェットツメ１２は回転しラチット１３から離れ駆動部２２とラチェットツメ１２は別々に回転する図４の状態になり後輪に動力は伝わらない。
【００１４】      鍵を逆に９０度回転することにより駆動伝達部は図５の状態になり、ラチェット１３とラチェットツメ１２は結合し、ペダル４、クランクアーム１より駆動部２２に加えられた力はチェーン７を介して後輪６に伝えられる。
【００１５】      鍵は自転車を動かす力とは別に動くので鍵に駆動力が直接加わることはない。
【００１６】      ラチェットツメ軸１４はペダル４、クランクアーム１より加えられた力を直接受けるのに耐え得る材質、（例えばＳＵＳ３０４）で作られている。
【００１７】      鍵の動きは図２の通りである。
【００１８】      鍵の回転角は９０度である。２０または２１まで回転して止まり、２０、２１各部で鍵は抜去できその以外のところでは、鍵は抜去できない。
【００１９】      ２０で鍵を抜去した場合、自転車は本装置を取り付ける以前の状態と同じく使用できる。
【００２０】      ２１で鍵を抜去した場合、本装置の働きにより４に加えられた力は３に力が伝達されないため７を回転させる事が出来ない。
【００２１】      鍵の９０度の回転で、通常運転、空転を繰り返す。
【００２２】      鍵の抜去位置は二箇所。
【００２３】      ペダルを踏む事により力の伝達はラチェットを通してラチェットツメからラチェットツメ軸に伝わるので鍵にペダルの力が伝わることはないのでペダルに加わる力で鍵が破壊されることはない。
【００２４】      自転車の鍵として使用する場合には、鍵を抜去して使用するので、鍵の位置２０及び２１の位置でのみ鍵を抜去することができ、その他の位置で鍵を抜去することは出来ない。
【００２５】      使用している鍵は右９０度、左９０度に回転する鍵で、９０度完全に回転することによりのみ鍵は抜去することが出来、他の位置では健は抜去できない。
【００２６】      鍵５と使用するキーはある組み合わせの時のみ開閉でき、キーにはディンプル加工が施され約２００通りの組み合わせが出来る。
【００２７】      鍵本体とキーは鍵メーカーで管理され鍵メーカーのみスペアキーが製作可能である。
【符号の説明】
【００２８】      １  クランクアーム
２  クランク軸
３  チェーンリング
４  ペダル
５  鍵
６  後輪
７  チェーン
８  ペダル
９  スプリング
１０  ステム
１１  鍵円盤
１２  ラチェットツメ
１３  ラチェット
１４  ラチェットツメ軸
２０  通常運転時の鍵位置
２１  空転時の鍵位置
２２  駆動部
【図１】
2013159331.tif 000003
【図２】
2013159331.tif 000004
【図３】
2013159331.tif 000005
【図４】
2013159331.tif 000006
【図５】
2013159331.tif 000007
(57)【要約】【課題】  台所の生ゴミ入れは、手入れの面倒な三角コーナーに代わる器具が色々提案されている。しかし専用の割高な水切り袋が必要であったり、防虫、防臭、外観に難点がある。そこで市販されている水切り袋や、ビニール袋に穴をあけたものも使用でき、かつ装着が簡単な上、重さで落下することもなく、ふたをすれば、外側から生ゴミが見えず手入れの楽な器具を発明。【解決手段】  シンクに吸盤５で付けた金属の輪３に上部１が金属の輪よりも大きく下部２が輪よりも小さくした、底のないホルダーをはめこむ。水切り袋４は金属の輪と、ホルダーの側面で挟み込まれ落下することは無く、水切り袋の装着も簡単。【選択図】図１
2013159487.tif 000002
【特許請求の範囲】
【請求項１】
水切り袋ホルダーは、その上部をシンクに吸盤で取り付けた金属の輪より大きすることにより，底が無くても水切袋をしっかり挟み込んで落下を防ぎ、下部は小さくすることで、水切り袋の着脱を容易にすることができる。
【発明の詳細な説明】
【技術分野】
【０００１】  本発明は、台所の生ゴミ入れに関するものである。
【背景技術】
【０００２】  台所の生ゴミ処理には、汚れやすく手入れの面倒な三角コーナーから主婦などを解放するため色々な器具の提案がなされてきた。水切り袋だけを吊り下げるものや特殊加工された袋をコーナー代わりにするものである。
【発明の概要】
【発明が解決しようとする課題】
【０００３】  しかしながら袋からは中の生ゴミが丸見えで、外観上も悪く、防臭、防虫の面でも問題がある。また専用の袋が必要なため費用が掛かった。
【課題を解決するための手段】
【０００４】  上記の課題を解決するため、図１のように生ゴミが外から見えず、ホルダー本体も汚れにくい底の無い形状にし、シンクに吸盤５で取り付けた金属の輪３にはめ込んで使用する。金属の輪３より本体の上部の口径１は大きくして水切り袋４が落下しないようにし、本体の下部２は金属の輪３より小さくして、スムーズに本体にセットできるようにした。蓋６をすることで防臭、防虫、外観を良くする。
【発明の効果】
【０００５】  専用の水切り袋が不要で着脱が楽であり、ゴミの重さで袋が落下することもない。
【図面の簡単な説明】
【０００６】
【図１】  本発明の斜視図
【０００７】
【図２】  本発明の正面図
【発明を実施するための形態】
【０００８】  水切り袋４をホルダー本体に装着し、シンクに吸盤５で取り付けた金属の輪３に水切り袋の口の端が輪より下の位置になるように嵌め込む。
【符号の説明】
【０００９】  １  ホルダー本体上部
２  ホルダー本体下部
３  金属の輪
４  水切り袋
５  吸盤
６  蓋
【図１】
2013159487.tif 000003
【図２】
2013159487.tif 000004
(57)【要約】【課題】通信を開始する際、通信を接続する相手を指定して入力する必要がないエレベーターの保守管理装置を提供する。【解決手段】保守管理装置１には通信距離の短い無線装置６を設置し、エレベーター制御盤にも通信距離の短い無線装置１４を設置し、保守管理装置１がエレベーター制御盤に接近した場合に、無線装置６と無線装置１４との通信を確立するようにした。【選択図】図１
2013159455.tif 000002
【特許請求の範囲】
【請求項１】
エレベーターの保守管理装置において、近距離無線部を設け、前記保守管理装置がエレベータ一に接近し、前記近距離無線部が通信開始した時に、エレベーター識別番号を前記保守管理装置が受信する事を特徴とするエレベーターの保守管理装置。
【請求項２】
エレベーターの保守管理装置において、近距離無線部を設け、前記保守管理装置がエレベーターに接近し、前記近距離無線部が通信開始した時に、前記エレベーター識別番号の保全データを表示する事を特徴とするエレベーターの保守管理装置。
【請求項３】
エレベーターの保守管理装置において、近距離無線部を設け、前記保守管理装置がエレベーターに接近し、前記近距離無線部が通信開始した時に、作業開始を登録、前記近距離無線部が通信終了した時に作業終了を登録する事を特徴とするエレベーターの保守管理装置。
【発明の詳細な説明】
【技術分野】
【０００１】
本発明は、エレベーターの保守管理装置に関し、特に無線通信機能を有するエレベーターの保守管理装置に関するものである。
【背景技術】
【０００２】
エレベーターの保守管理を行う為には、現場で作業を行う保守員がエレベーター制御盤に保守管理装置を接続する必要があるが、接続には通信ケーブルを使用しており、保守作業の度に通信ケーブルを接続しなければならないという問題が有り、これに対応する為にＰＨＳ端末を使用するものが提案されている（特許文献１参照）。
【先行技術文献】
【特許文献】
【０００３】
【特許文献１】特開２００５−１７０６６２号公報
【発明の概要】
【発明が解決しようとする課題】
【０００４】
上記従来技術では、通信を開始する為には、通信を接続する相手を指定して入力する必要があり、操作に手間を要し、また接続相手を誤って登録すると、別のエレベーター制御盤に接続するという問題があった。
【０００５】
本発明の目的は、保守管理装置の接続操作や通信を接続する相手の指定操作を不要とすることができるエレベーターの保守管理装置を提供することにある。
【課題を解決するための手段】
【０００６】
上記目的を達成するため本発明は、保守管理装置には通信距離の短い無線装置を設置し、エレベーター制御盤にも通信距離の短い無線装置を設置し、通信を確立する場合、保守管理装置をエレベーター制御盤の近くに位置するようにしたことを特徴とする。
【０００７】
これにより、通信を確立する時は保守管理装置がエレベーター制御盤の近くに存在する事を担保でき、通信相手の指定が不要となると共に、保守管理装置の近くに有るエレベーターの情報が正確に表示される。
【発明の効果】
【０００８】
以上のように本発明によれば、エレベーターの近くを通過するだけで近傍にあるエレベーター制御盤に保守管理装置が接続されることにより、保守管理装置の接続操作を不要とすることができる。
【図面の簡単な説明】
【０００９】
【図１】本発明に係るエレベーターの保守管理装置の一実施形態を示す図である。
【発明を実施するための形態】
【００１０】
以下、本発明のエレベーターの保守管理装置に関する一実施形態を図に基づいて説明する。図１は本発明に係るエレベーターの保守管理装置の一実施形態を示す図である。
【００１１】
図１の状態において、無線通信が確立していない時点では、エレ認証管理部１１はエレ通信切り替え部１３をエレ認証管理部１１側に切り替え、エレ近距離通信部１４をエレ認証管理部１１に接続しておく。
【００１２】
エレ認証管理部１１は、エレ近距離通信部１４を常時動作させ、保守員が携帯する保守管理装置１がエレベーター装置１０に接近するのを待っている。
【００１３】
保守管理装置１がエレベーター装置１０に接近することにより、近距離無線部６とエレ近距離通信部１４の通信が確立すると、保守管理制御部３は暗証キ−４を近距離無線部６より送信する。
【００１４】
これをエレ認証管理部１１が受信しエレ認証キー１２と比較を行い、一致している場合は、エレ通信切り替え部１３をエレ通信部１５側に切り替える。
【００１５】
切り替えが行われると、エレ制御部１６はエレ識別番号１８をエレ通信部１５を経由して、エレ近距離無線部１４より送信する。
【００１６】
保守管理装置１では、エレ識別番号１８の受信により、作業記録票９に作業開始を登録する。
【００１７】
また、エレ識別番号１８を遠距離無線部５よりセンター２０に送信する。センター２０は無線ネットワ−ク３０を経由し、無線通信部２５でエレ識別番号１８を受信する。
【００１８】
データ管理部２１では、受信したエレ識別番号１８により保全データ部２２の作業予定表２３及び故障一覧表２４の登録データの検索を行い、該当エレ番号１８のデータが登録されていた場合は保守管理装置１に各データを送信する。
【００１９】
保守管理装置１では、作業予定表２３及び故障一覧表２４が送信されてきた場合、表示部２に表示後、警報部７を鳴動させ作業が必要な事を保守員に通知する。
【００２０】
保守員は警報部７の鳴動により、表示部２の表示を見て、作業予定表２３のデータが標示されている場合は、必要な作業内容を確認し、各作業を実施する。
【００２１】
故障一覧表２４の内容が表示されている場合は、エレベーター装置１０のエレ稼働情報１９を読みだし、表示部２に表示させ、故障一覧表２４のデータと突き合わせることにより、故障の原因を究明する。
【００２２】
全ての作業が終了すると、保守員はエレベーター装置１０の近傍から離れる事により、近距離無線部６とエレ近距離無線部１４との通信が途絶する。
【００２３】
これにより、保守管理装置１では保守管理制御部３が作業記録票９に作業完了を記録する。
【００２４】
エレベーター装置部では、認証管理部１１が通信切り替え部１３をエレ通信部１５から切り離し、認証管理部１１に接続する事により、外部からの不要アクセスを遮断し、保守管理装置１との再接続に備える。
【符号の説明】
【００２５】
１    保守管理装置
２    表示部
３    保守管理制御部
４    認証キー
５    遠距離無線部
６    近距離無線部
７    警報部
８    操作部
９    作業記録票
１０  エレベーター装置
１１  エレ認証管理部
１２  エレ認証キー
１３  エレ通信切り替え部
１４  エレ近距離無線部
１５  エレ通信部
１６  エレ制御部
１７  エレデータ部
１８  エレ識別番号
１９  エレ稼働情報
２０  センター
２１  データ管理部
２２  保全データ部
２３  作業予定表
２４  故障一覧表
２５  無線ネットワーク
【図１】
2013159455.tif 000003
(57)【要約】【課題】  本発明は、自動車のフロントガラスなど傾斜した光沢滑面にラップを一人で安易に貼ることを可能とする。【解決手段】  本発明は、ラップを貼る光沢滑面にラップ箱を一時的に保持するための保持具（ポリウレタン樹脂接着マット等）を備え付けた、ラップ箱をホールドするラップ箱ホルダーで、ラップ箱を装着したラップ箱ホルダーを保持具で自動車のフロントガラスなど傾斜した光沢滑面に一時的に保持し、ラップを引き出して光沢滑面に貼り付け、その後ラップの引き出し貼り付けとラップ箱の一時的保持を繰り返し、必要な長さだけラップを引き出して光沢滑面にラップを貼り、最後にラップを切る。以上の手順により自動車のフロントガラスなど傾斜した光沢滑面にラップを一人で安易に貼ることができる。【選択図】図１
2013159402.tif 000002
【特許請求の範囲】
【請求項１】
ラップ箱をラップ箱ホルダーにホールドするための切り込みを設け、ラップを貼る傾斜した光沢滑面にラップ箱ホルダーを一時的に保持するための保持具を備え付けた、ラップ箱をホールドする光沢滑面へのラップ貼り用ラップ箱ホルダー。
【請求項２】
ラップを貼る傾斜した光沢滑面にラップ箱ホルダーを一時的に保持するための保持具を備え付けた、ラップ箱をホールドする光沢滑面へのラップ貼り用ラップ箱ホルダー。
【発明の詳細な説明】
【技術分野】
【０００１】  本発明は、自動車のフロントガラスなど傾斜した光沢滑面にラップを一人で安易に貼ることができる用具に関するものである。
【発明の概要】
【発明が解決しようとする課題】
【０００２】  傾斜した光沢滑面の場合はラップ箱が光沢滑面を滑り、一人では手の届く範囲を超えてラップを安易に貼ることが難しい。
【課題を解決するための手段】
【０００３】  ラップを貼る傾斜した光沢滑面にラップ箱ホルダーを一時的に保持するための保持具（ポリウレタン樹脂接着マット等）をラップ箱ホルダーに備え付ける。【０００４】  ラップ箱をラップ箱ホルダーにホールドするために、ラップ箱ホルダーにラップ箱ホールド用の切り込み（波切り等）を設ける。
【発明の効果】
【０００５】  本発明は、ラップ箱を装着したラップ箱ホルダーを保持具で自動車のフロントガラスなど傾斜した光沢滑面に一時的に保持し、ラップを引き出して光沢滑面に貼り付け、その後ラップの引き出し貼り付けとラップ箱の一時的保持を繰り返し、必要な長さだけラップを引き出して光沢滑面にラップを貼り、最後にラップを切る。以上の手順により自動車のフロントガラスなど傾斜した光沢滑面にラップを一人で安易に貼ることができる。
【図面の簡単な説明】
【０００６】
【図１】  本発明の斜視図
【図２】  本発明の平面図（上面）
【発明を実施するための形態】
【０００７】  ラップ箱ホルダー本体の底部に保持具（ポリウレタン樹脂接着マット等）を設け、ラップ箱をラップ箱ホルダーにホールドするために、ラップ箱ホルダーにラップ箱ホールド用の切り込み（波切り等）を設ける。
【実施例】
【０００８】  以下、添付図面に従って実施例を説明する。ラップ箱の蓋の付け根箇所をラップ箱ホルダー１のラップ箱ホールド用の切り込み部に挿入して、ラップ箱をラップ箱ホルダー１に装着する。ラップ箱を装着したラップ箱ホルダー１をこの本体底部に取付けた保持具２で自動車のフロントガラスなど傾斜した光沢滑面に一時的に保持し、ラップを引き出して光沢滑面に貼り付け、その後ラップの引き出し貼り付けとラップ箱の一時的保持を繰り返し、必要な長さだけラップを引き出して光沢滑面にラップを貼り、最後にラップを切る。以上の手順により自動車のフロントガラスなど傾斜した光沢滑面にラップを一人で安易に貼ることができる。
【産業上の利用可能性】
【０００９】  冬季など寒い日の朝に、自動車のフロントガラスに霜や氷が貼り付き運転のための視界を確保できない場合があるが、従来はこのフロントガラスにお湯を掛ける、アイドリング運転をするなどで当該霜や氷を溶かしており効率的でなかった。本発明のラップ箱ホルダーを用いれば、一人で容易に自動車のフロントガラスにラップを貼ることができるので、前日のうちに予めフロントガラスにラップを貼っておけば貼った部分のガラス面には霜や氷は貼りつかず、ラップを剥がせばすぐ運転のための視界が確保でき効率的である。
【符号の説明】
【００１０】  １  ラップ箱ホルダー
２  保持具（ポリウレタン樹脂接着マット等）
【図１】
2013159402.tif 000003
【図２】
2013159402.tif 000004
(57)【要約】【課題】  本発明は、ストロー差込口の他に給気口を設けた飲料容器を提供する。【解決手段】  飲料容器（１）に、ストロー差込み口（２）と給気口（３）を設け、ストロー差込み口（２）と給気口（３）をストローで貫通可能な皮膜で塞ぐことを特徴とする。【選択図】図１
2013159403.tif 000002
【特許請求の範囲】
【請求項１】
飲料容器（１）に、ストロー差込み口（２）と給気口（３）を設け、ストロー（４）で貫通可能な皮膜で塞いだことを特徴とする給気口付き飲料容器
【発明の詳細な説明】
【技術分野】
【０００１】  本発明は、ストロー差込み口の他に給気口を設けた飲料容器に関するものである。
【背景技術】
【０００２】  従来から、飲料容器はストローを差込むための口のみが設けられ、飲料を吸引する際はストロー差込み口のみに穴が開けられ飲料を吸引していた。
【発明の概要】
【発明が解決しようとする課題】
【０００３】  しかしながら、従来の飲料容器はストローを差込むための穴しか無かったためストローから飲料を吸引した際、容器内の圧力が高まり吸引しにくいだけでなく吸引後はストローから容器内に空気が吸い込まれ不快な音を発生させてしまっていた。
飲料の吸引を続けると容器内の圧力が高まり、一気に飲料を飲み干すことが出来なかった。
本発明は、以上のような欠点をなくすためになされたものである。
【課題を解決するための手段】
【０００４】  飲料容器（１）に、ストロー差込み口（２）と給気口（３）を設け、ストロー差込み口（２）と給気口（３）をストロー（４）で貫通可能な皮膜で塞ぐ。
本発明は、以上の構成よりなる給気口付き飲料容器である。
【発明の効果】
【０００５】  本発明の容器の構造によれば、飲料をストローで吸引する前に、皮膜で塞がれている給気口をストローで貫通することにより、ストローで飲料を吸引した際に、吸引した飲料と同量の空気を給気口から取入れることができるため飲料容器内の圧力が高まらず飲料を吸引し易い。
飲料を吸引した際に、飲料と同量の空気を給気口から取入れることができるため吸引後に、不快な音も発生させずにすむ。
飲料を一気に飲み干すことができる。
【図面の簡単な説明】
【０００６】
【図１】本発明の斜視図である。
【発明を実施するための形態】
【０００７】  以下、本発明を実施するための形態について説明する。
飲料容器（１）にストロー差込み口（２）と給気口（３）を設ける。
ストロー差込み口（２）と給気口（３）をストロー（４）で貫通可能な皮膜で塞ぐ。
本発明は、以上のような構造である。
本発明を使用するときは、ストロー差込み口（２）と給気口（３）にストロー（４）で穴を空けストローをストロー差込み口に刺し飲料を吸引する。するとストローから吸引した飲料と同じ体積の空気が給気口（３）から飲料容器（１）内に流入し、吸引し易いだけでなく不快な音も発生しない。
【符号の説明】
【０００８】  １  飲料容器
２  ストロー差込み口
３  給気口
４  ストロー
【図１】
2013159403.tif 000003
(57)【要約】【課題】蛇の脱皮した抜け殻に強度を持たせ、様な製品の元となる素材を提供する。【解決手段】蛇の抜け殻と酢酸塩化ビニールを抜け殻の持つ特性を利用し、加熱、加圧で融合させた自然のみが持つ、人工的には作り出す事が出来ない質感の素材である。【選択図】図１
2013159112.tif 000002
【特許請求の範囲】
【発明の詳細な説明】
【技術の分野】
【０００１】本発明は、蛇の抜け殻を他の物質と人口的に融合させた今までにない全く新しい素材に関するものである。
【背景技術】
【０００２】従来の蛇の抜け殻は非常にもろく、ほとんど利用する事が出来なかった。
【発明の開示】
【発明が解決しようとする課題】
【０００３】そのために次のような問題点があった。
（イ）製品や商品で蛇の抜け殻を利用した物がなかった。
（ロ）蛇を利用した商品は生きている蛇を殺して皮をはぎ加工している為、多くの命を失ってきている。
【課題を解決する為の手段】
【０００４】抜け殻単体では非常にもろく耐久性もないが、抜け殻の表面は他の物質と融合しにくく、裏面は他の物質と融合しやすいと言う性質を利用し酢酸塩化ビニールと加熱、加圧する事により加工しやすく耐久性のある今までにない全く新しい素材として誕生する。
【発明の効果】
【０００５】抜け殻は利用する事により蛇の命を失う事なく蛇商品を作り出せる。又、抜け殻でありながら、天然素材の質感を持ち合わせ耐久性もあり加工もしやすいので、サイフやカバンを作ったり、多種多様な物に貼ったり出来る。
【発明を実施する為の最良の形態】
【０００６】以下本発明の実施の形態について説明する。
（イ）蛇の抜け殻を切って開き、フイルム等にはさむ。
（ロ）フイルム全体に熱を与え加圧する。
（ハ）その後、フイルムを開くと表面ははがれ、裏面は皮とフイルムが融合し新素材となる。
本発明は以上の構成よりなっている。
これを使用する時は単体でも利用出来るが、様々な物質に貼ったり、加工してカバンやサイフなど商品を作り出す事が出来る。
【図面の簡単な説明】
【０００７】
【図１】本発明の工程を示す斜視図
【図２】本発明の利用例を示す斜視図
【符号の説明】
【０００８】１．蛇の抜け殻。
２．切り開いて平面にする。
３．フイルムやビニール等にはさむ。
４．ラミガード等で加熱、加圧する。
５．フイルム等を開くと融合している。
６．加工したカバン。
７．加工したサイフ。
【図１】
2013159112.tif 000003
【図２】
2013159112.tif 000004
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
蛇の抜け殻を使って、今までにない新素材を世の中に、提供する。
そのために、ヘビの抜け殻と他の物質を融合させる物が必要で、その為に、酢酸塩化ビニールと加熱、加圧する事によってその目的を果たす。
(57)【要約】      （修正有）【課題】脱皮する生き物（蛇、トカゲ、昆虫等）の様々な抜け殻の種類を明確化し、抜け殻を商品としてブランド化するため、抜け殻の鑑定書に類する書類を提供する。【解決手段】（イ）商品化する前に脱皮する生き物の写真２と抜け殻の利用前の写真３を撮り、（ロ）抜け殻のいたみ具合によりランク分けする。（ハ）全てのデータをまとめて一枚の書類にする。この書類にその抜け殻は何の抜け殻かを明確化する為に、写真２，３、動物名、種類、抜け殻の部位、抜け殻の程度（ランク分け）、日付、鑑定者等を明記した台紙を添付し、他との区別を明確化する。【選択図】図１
2013159111.tif 000002
【特許請求の範囲】
【発明の詳細な説明】
【技術の分野】
【０００１】本発明は、今まで判別しにくかった様々な抜け殼の種類を明確化する書類に関するものである。
【背景技術】
【０００２】従来、抜け殻の判別を宝石の鑑定書の様に、詳しく細かく識別した書類がなかった。
【発明の開示】
【発明が解決しようとする課題】
【０００３】そのために次のような問題点があった。
（イ）抜け殻を素材としての商品が少なかった。
（ロ）識別されていないため、商品をブランド化しにくい。
【課題を解決する為の手段】
【０００４】１枚の書類に、その抜け殻は何の抜け殻かを明確化する為に、写真、種類、抜け殻の部位、抜け殻の程度（ランク分け）、日付等を記載し、鑑定書とする。
【発明の効果】
【０００５】抜け殻鑑定書を利用する事により、抜け殻を使って作られた商品をよりバリエーションのある物とし、多種、多様化する事が出来る。
【発明を実施する為の最良の形態】
【０００６】以下本発明の実施の形態について説明する。
（イ）商品化する以前に抜け殻を写真に撮る。
（ロ）抜け殻のいたみ具合によりランク分けする。
（ハ）全てのデーターをまとめ一枚の書類に記入し、写真を添付し、抜け殻鑑定書とする。
本発明は以上の構成よりなっている。
これを使用する時は、抜け殻を使った商品に番号を付け、書類にも同一番号を付ける事により鑑定書兼保証書にもなりうる。
【図面の簡単な説明】
【０００７】
【図１】本発明の鑑定書を示す平面図
【図２】本発明の利用例を示す斜視図
【符号の説明】
【０００８】１．台紙。
２．脱皮する生き物（蛇、トカゲ、昆虫等）の写真。
３．抜け殻の利用前の写真。
４．製品の番号。
５．記入例。
６．商品例（マイク）。
７．商品に鑑定書を付けて販売。
【図１】
2013159111.tif 000003
【図２】
2013159111.tif 000004
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
ヘビの抜け殻等、一般には抜け殻は、何の種類かの判断が困難である。
その抜け殻で作られた商品の素材を明確化する為に、写真、種類、いたみの、程度をランク分けした鑑定書である。
(57)【要約】      （修正有）【課題】ＵＶ硬化ジェルコーティングした蛇の抜け殻を使用して、作成された商品を提供する。【解決手段】こわれやすいと言う蛇の抜け殻を、ＵＶ硬化ジェルでコーティングする事で、人工的には作れない独特の風合いを持つ抜け殻の商品である。以下の製造工程（イ）土台にうすくＵＶ硬化ジェルを塗り、その上に蛇の抜け殻を切って開き貼り付ける。（ロ）その上から更にＵＶ硬化ジェルを塗り紫外線に当てる。（ハ）硬化したら、磨きあげて出来上がる。【選択図】図１
2013159110.tif 000002
【特許請求の範囲】
【発明の詳細な説明】
【技術の分野】
【０００１】本発明は、蛇の抜け殻にＵＶ硬化ジェルコーティングし、今でにない全く新しい商品に関するものである。
【背景技術】
【０００２】従来、蛇の抜け殻は、非常にもろくほとんど商品化されていなかった。
【発明の開示】
【発明が解決しようとする課題】
【０００３】そのために次のような問題点があった。
（イ）製品や商品で蛇の抜け殻を利用した物がなかった。
（ロ）蛇を利用した商品は生きている蛇を殺して皮をはぎ加工している為、多くの命を失ってきている。
【課題を解決する為の手段】
【０００４】抜け殻単体では非常にもろく、商品化出来なかったが、表面をＵＶ硬化ジェルでコーティングする事により今までにない全く新しい商品を作る事が出来る。
【発明の効果】
【０００５】ＵＶ硬化ジェルを使用する事により、本来抜け殻が持つ独特な質感を失う事なく、長期間使用する事が可能な商品を作り出す事が出来る。
【発明を実施する為の最良の形態】
【０００６】以下本発明の実施の形態について説明する。
（イ）土台にうすくＵＶ硬化ジェルを塗り、その上に蛇の抜け殻を切って開き貼り付ける。
（ロ）その上から更にＵＶ硬化ジェルを塗り紫外線に当てる。
（ハ）硬化したら、磨きあげて出来上がる。
本発明は以上の構成よりなっている。
これを使用する時は、ＵＶ硬化ジェルが塗れるものであれば、全て土台となるので、世の中のほとんどの物体に適合する事が出来る。
【図面の簡単な説明】
【０００７】
【図１】本発明の工程を示す斜視図
【図２】本発明の利用例を示す斜視図
【符号の説明】
【０００８】１．土台に薄くＵＶ硬化ジェルを塗る。
２．蛇の抜け殻を切り開いて広げる。
３．ジェルの上に張り付ける。
４．更にその上にＵＶ硬化ジェルを塗る。
５．紫外線に当てて硬化すれば完了。
６．加工した器。
７．加工したマイクの持ち手。
８．加工したハンドルの握り部分。
【図１】
2013159110.tif 000003
【図２】
2013159110.tif 000004
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
今まで蛇の抜け殻で作られた商品はなく作っても、すぐに、ぼろぼろにくずれてしまうと思われる。そこで、ＵＶジェルコーティングすることにより、長期間商品の型を維持が、可能となる。
(57)【要約】【課題】従来のヒートポンプエアコンは屋外機内臓の熱交換器にモーターファンで風を起こして、冷房時の放熱と暖房時の集熱を行っていたが、発生する風の騒音やモーターが起こす騒音と振動を少なくする事を課題とする。【解決手段】ヒートポンプエアコン屋外機の熱交換器部を分離して、縦長の風洞３の内部に上部熱交換器４と下部熱交換器５の２個を直列に配管接続して、冷房運転時は下部熱交換器５で放熱時、空気の膨張によって発生する上昇気流６で連続的に空気の循環を行いう。暖房運転時は上部４熱交換器で集熱後に重くなった空気で発生する下降気流７を応用して、空気の循環を行い、ファン及びファンモーターを必要としないシステムを構成する。【選択図】図１
2013250041.tif 000002
【特許請求の範囲】
【請求項１】
ヒートポンプ冷・暖エアコン屋外機のファン及びファンモーターを必要とせず、高低差のある縦長風洞空間の内部に上下２個の熱交換器を直列に配置して冷房運転時、下部熱交換器の放熱による空気の膨張で上昇気流を起こし、空気の自然循環を応用する、暖房運転時には上部熱交換器で集熱後、収縮して重くなった空気の下降気流を応用して自然循環を行う事で、ファン及びファンモーターを必要としないシステムを構成する。
【発明の詳細な説明】
【技術分野】
【０００１】本発明はヒートポンプエアコンの屋外機から、ファン及びモーターを無くして騒音や振動と消費電力を少なくする事に関する。
【発明の概要】
【課題を解決するための手段】
【０００２】本発明は、ヒートポンプ冷・暖エアコンの屋外機から熱交換器を分離して縦長の筒状風洞に、上部４と下部５の熱交換器を直列に配管を接続配置して冷房運転時は圧縮機２で加圧された冷媒ガスは、初めに下部５の熱交換器を通過して、次に上部４の熱交換器の順に循環する。【０００３】室内機１で集熱された熱を下部５熱交換器から放熱した熱で上昇気流６を発生する事で連続的に空気の循環をして冷却を行う。【０００４】暖房運転時は冷媒ガスの流れる方向は冷房運転に対して逆になり、減圧された冷媒ガスは熱交換器４で集熱を行い熱交換器５の順に循環して圧縮機に戻る。【０００５】熱回収後の空気は収縮して重くなり、下降気流７を発生する事でファンとファンモーターは必要としないで、連続的に空気の循環を実現する。
【発明の効果】
【０００６】本発明はファン及びファンモーターを使用しない為、騒音や振動が少なく、更に消費電力も低減、環境負荷も少ない利点がある。
【図面の簡単な説明】
【０００７】
【図１】６は冷房運転、７は暖房時の空気の流れを示す。Ａ実線矢印は冷房運転、Ｂ点線矢印は暖房運転時の冷媒ガスの方向を示す。
【符号の説明】
【０００８】１・・・室内機、      ２・・・圧縮機、      ３・・・風洞、
４・・・集熱用熱交換器、      ５・・・放熱用熱交換器、
【図１】
2013250041.tif 000003
(57)【要約】【課題】これまでの独居者の安否確認装置は、焦電センサーを内蔵した警報機能付きで電話機能を有する装置が多く、高価であった。設置に工事が必要なこともあり費用を要した。【解決手段】焦電センサーを内蔵し独居者の動作を検知しなくなってからの時間を自動的に計測し予め設定された時間以上経過した時のみ警報出力させる単純な方式を採用することで安価な製品の提供が可能となった。【選択図】図１
2013250960.tif 000002
【特許請求の範囲】
【請求項１】
常時、安否確認を必要としている独居者が住宅の中で最も多く居る部屋に焦電センサーを内蔵した装置を設置し、独居者の動作を検知している時には警報信号を出力せず、独居者の動作を検知していない時には、検知していない時間を計測し、予め装置内のプログラムにより設定した時間以上経過した時には、警報信号を出力させる焦電センサー付き安否警報装置。
【請求項２】
常時、安否確認を必要としている独居者が住宅の中で最も多く居る部屋に焦電センサーを内蔵した装置を設置し、独居者の動作を検知している時には警報信号は出力せず、独居者の動作を検知していない時には検知していない時間を計測し、予め装置内のプログラムにより設定した時間以上経過した時には、警報信号を出力させ、その警報信号は、市販の緊急電話装置と容易に接続でき、独居者を検知しない時には、しかるべき通知先に通報できる焦電センサー付き安否警報装置。
【請求項３】
常時、安否確認を必要としている独居者が住宅の中で最も多く居る部屋に焦電センサーを内蔵した装置を設置し、独居者の動作を検知している時には警報装置は出力せず、独居者の動作を検知していない時には検知していない時間を計測し、予め装置内のプログラムにより設定された設定した時間以上経過した時には、警報信号を出力させ、その警報信号は、市販の電球やブザー等と容易に接続でき、独居者を検知しない時には、電球を点灯させ、又は、ブザーを鳴動させることができる焦電センサー付き安否確認装置。
【発明の詳細な説明】
【技術分野】
【０００１】  本発明は、警報装置に関するものである。
【背景技術】
【０００２】  これまで独居者の安否を確認するための装置で焦電センサーを利用した警報装置は存在したが、警報の通知方式が電話機能を有する装置であるものが多く、単純に警報のみを出力するものは存在しない。
【発明の開示】
【発明が解決しようとする課題】
【０００３】  これまでの独居者の安否確認装置は、焦電センサーを内蔵した警報機能付きで電話機能を有する装置が多く高価なものが多かった。【０００４】  また、設置の際にも工事が必要なこともあり、費用を要する。
【課題を解決するための手段】
【０００５】  本発明は、焦電センサーを内蔵し独居者の動作を検知しなくなってからの時間を自動的に計測し予め設定された時間以上経過した時のみ警報出力させる単純な方式を採用することにより安価な製品の供給が可能となる。【０００７】  また、設置に工事を必要とせず、日頃、安否の必要な独居者が居る居間などに置くだけでよい。
【発明の効果】
【０００５】  本発明の焦電センサー内蔵の安否確認装置は、安否の必要な独居者が住宅の中で最も多く居る部屋などに置くだけでよく、市販の警報装置や電球やブザー等と組み合せて接続することにより、設置工事を伴わず、安価な製品を提供できる。【０００６】  また、焦電センサー内蔵の安否確認装置と市販の電球又は、ブザー等と組合せて接続することにより、独居者の動作が予め装置内のプログラムにより設定された時間以上経過した時には、電球が点灯又は、ブザーが鳴動となる。電球やブザーを玄関先などに設置することにより、独居者に異常があったことを周囲に知らせることが可能となる。
【発明を実施するための最良の形態】
【０００６】  ［図１］に焦電センサー（１）内蔵の安否確認装置（２）のブロック図を示す。ＡＣコンセント（３）を１００Ｖに接続し、電源回路（４）へ供給する。焦電センサー（１）は、人の動作を検知すると信号を微小な信号を発生する。その信号を増幅回路（５）にて増幅し、マイクロコンピュータ（６）に入力できるようコンパレータ回路（７）にて信号変換する。人の動作を検知しない時は信号が変化しないので、信号の変化しない時間をマイクロコンピュータ（６）にて計測し、予め設定された時間に到達すると出力信号を送出し、リレー駆動回路（８）を動作しリレー接点（９）を動作させ、出力信号を発生する。尚、長時間の外出や就寝時は、スイッチなどを操作し、動作を停止させる。【０００７】  ［図２］に焦電センサー（１）内蔵の安否確認装置（２）の外観の一例を示す。ＡＣ１００Ｖに接続されるＡＣコンセント（３）、人の動作を検知する焦電センサー（１）、長時間の外出や就寝時に動作を停止させるスイッチ（１０）、動作中であることを示すＬＥＤランプ（１１）、警報信号を出力するための端子（１２）より構成される。【０００８】  ［図３］に焦電センサー（１）内蔵の安否確認装置（２）と市販の電球（１３）を組み合せた一例を示す。警報信号を出力するための端子（１２）に市販の電球（１３）とコンセント（１４）を接続し、ＡＣ１００Ｖへ接続する。焦電センサー（１）内蔵のＡＣコンセント（３）を接続し、長時間の外出や就寝時に動作を停止させるスイッチ（１０）を解除し、ＬＥＤランプ（１１）が動作中であること確認する。その状態で人の動作を焦電センサー（１）が予め設定された時間以上検知しなかった時市販の電球（１３）が点灯となる。市販の電球（１３）を玄関先などに設置することにより、周囲に異常があったことを知らせる。
【図面の簡単な説明】
【０００９】
【図１】焦電センサー内蔵の安否確認装置のブロック図
【図２】焦電センサー内蔵の安否確認装置の外観の一例
【図３】焦電センサー内蔵の安否確認装置と市販の電球を組み合わせた一例
【符号の簡単な説明】
【０００９】１  焦電センサー
２  安否確認装置
３  ＡＣコンセント
４  電源回路
５  増幅回路
６  マイクロコンピュータ
７  コンパレータ回路
８  リレー駆動回路
９  リレー接点
１０  スイッチ
１１  ＬＥＤランプ
１２  端子
１３  電球
１４  コンセント
【図１】
2013250960.tif 000003
【図２】
2013250960.tif 000004
【図３】
2013250960.tif 000005